(57)【要約】      （修正有）【課題】密封状態が維持された状態で内部に収納された薬液輸送装置と外部パソコンとの間の電気導通が可能な密封収納パッケージを提供する。【解決手段】密封収納パッケージ６のパッケージ本体７は、収納空間を構成する収納空間本体構成部７ｂと外周側に本体外周部７ｃとを備え、パッケージ蓋体８は、収納空間蓋体構成部と外周側に本体外周部７ｃと接合し収納空間を密封する蓋体外周部とを備え、収納空間蓋体構成部内面には断面方向変形により薬液輸送装置１の回路基板端子５ａに導通可能な蓋体導通端子９ａが構成され、蓋体外周部には前記蓋体導通端子９ａと導通している外部導通端子９ｂが、外部パソコンと導通関係の外部端子１８と接触可能に形成されている。【選択図】図６
2009011617.tif 000002
【特許請求の範囲】
【請求項１】
小型電子機器を密封収納した状態で前記小型電子機器と外部電子機器との間においてデータ通信可能な密封収納パッケージであって、
前記密封収納パッケージは、前記小型電子機器を収容するパッケージ本体と、前記パッケージ本体の開口部を覆うことにより収納空間を形成し前記収納空間に前記小型電子機器を収納した状態で前記パッケージ本体に接合するパッケージ蓋体とを有しており、
前記パッケージ本体は、平面方向での中央側には前記収納空間を構成する収納空間本体構成部と、前記収納空間本体構成部の外周側には前記パッケージ蓋体と接合することにより前記収納空間を密封する本体外周部とを備え、
前記パッケージ蓋体は、非導電性材料かつ断面方向に変形が可能な材料で構成され、平面方向での中央側には前記収納空間を構成する収納空間蓋体構成部と、前記収納空間蓋体構成部の外周側には前記本体外周部と接合することにより前記収納空間を密封する蓋体外周部とを備えており、
前記パッケージ蓋体の前記収納空間蓋体構成部には前記変形された際には前記小型電子機器の導通端子と接触して導通可能な蓋体導通端子が構成され、前記蓋体外周部には前記蓋体導通端子と導通している外部導通端子が形成されていることを特徴とする密封収納パッケージ。
【請求項２】
請求項１に記載の密封収納パッケージであって、
前記外部導通端子は前記蓋体外周部の内面側に形成されており、前記蓋体外周部は前記外部電子機器と接続している外部端子が突き破ることが可能な材料から構成されており、前記蓋体外周部が突き破られた際に前記外部端子が前記外部導通端子と導通可能に構成されていることを特徴とする密封収納パッケージ。
【請求項３】
請求項１乃至請求項２のいずれか１項に記載の密封収納パッケージであって、
前記蓋体導通端子は前記収納空間蓋体構成部の内面側に形成されていることを特徴とする密封収納パッケージ。
【請求項４】
請求項１乃至請求項３のいずれか１項に記載の密封収納パッケージであって、
前記本体外周部と前記蓋体外周部の平面外形形状は略四辺形に形成されており、前記外部導通端子は、前記略四辺形における角部付近に配置されていることを特徴とする密封収納パッケージ。
【請求項５】
請求項１乃至請求項４のいずれか１項に記載の密封収納パッケージであって、
前記蓋体外周部の外部導通端子は、前記蓋体導通端子または前記外部導通端子と前記蓋体導通端子とを接続している端子間導通部より厚く構成されていることを特徴とする密封収納パッケージ。
【請求項６】
請求項１乃至請求項５のいずれか１項に記載の密封収納パッケージであって、
前記外部電子機器とデータ通信可能なデータ通信装置に前記密封収納パッケージがセットされた際に、前記データ通信装置側から押圧されて前記収納空間蓋体構成部に形成された前記蓋体導通端子が前記小型電子機器の導通端子に接触できるように前記収納空間蓋体構成部は断面方向に変形が可能であるように構成されていることを特徴とする密封収納パッケージ。
【請求項７】
請求項１乃至請求項６のいずれか１項に記載の密封収納パッケージであって、
前記パッケージ本体は、合成樹脂から構成され、前記パッケージ蓋体は薄紙から構成されていることを特徴とする密封収納パッケージ。
【請求項８】
請求項１乃至請求項７のいずれか１項に記載の密封収納パッケージであって、
前記小型電子機器は、動物の体内に埋め込んで流体を供給する流体輸送装置であることを特徴とする密封収納パッケージ。
【請求項９】
請求項１乃至請求項８のいずれか１項に記載の密封収納パッケージと、前記密封収納パッケージに収納されている小型電子機器と、前記密封収納パッケージをセットして外部電子機器との間においてデータ通信可能なデータ通信装置とを備えたことを特徴とする通信可能な密封収納パッケージシステム。
【発明の詳細な説明】
【技術分野】
【０００１】
本発明は、小型電子機器を密封収納した状態で前記小型電子機器と外部電子機器との間でデータ通信が可能な密封収納パッケージ、および前記データ通信可能な密封収納パッケージと前記密封収納パッケージに収納される小型電子機器と前記密封収納パッケージをセットして外部電子機器との間においてデータ通信可能なデータ通信装置とを備えた通信可能な密封収納パッケージシステムに関する。
上記小型電子機器は、好適には動物の体内、中でも実験動物等の動物の皮下に埋め込んで、薬液（流体）を動物の体内に供給する場合等に好適な流体輸送装置であり、上記密封収納パッケージは、好適には滅菌処理した状態で上記小型電子機器を密封収納した密封収納パッケージである。
【背景技術】
【０００２】
従来から、マウス、モルモット等の小動物を用いて薬液の効力を実験・検証することが行われており、そのために小動物に薬液を供給する種々の薬液輸送装置が提案されている。
その中で、実験動物のマウスにハーネスを装着させ、そのハーネスに支持されたカテーテルを実験動物の皮膚に貫通させて連続的に薬液を供給するタイプが提案されている（特許文献１）。
一方、実験動物の体内に薬液輸送装置を埋め込むタイプが提案されている（非特許文献１参照）。このタイプは、実験動物の皮下に埋め込むものであるが、外部から専用のニードルを薬液輸送装置に刺し込んで薬液を注入することにより、カテーテルを介して実験動物の体内に薬液を注入するものである。
他方、人体内に埋め込んでインスリンを患者に供給する人工膵臓装置も提案されている（特許文献２参照）。この人工膵臓装置は、その図１にも開示されているように、電源としてのリチャージャブルバッテリー、インスリンを貯蔵するインスリンリザーバー、インスリンを腹腔内に送り込むマイクロポンプ等を備え、患者に埋め込まれる。例えば毎月１回を目処に１か月分のインスリンを経皮的に穿刺してリザーバーに補給するものである。
【特許文献１】実開平５−７４５１１号公報
【特許文献２】特開２００１−２８６５５５号公報
【非特許文献１】プライムテック株式会社の完全埋込型バスキュラアクセスポート（ｈｔｔｐ：／／ｗｗｗ．ｐｒｉｍｅｔｅｃｈ．ｃｏ．ｊｐ／ｓｅａｒｃｈ／ｄｅｔａｉｌ．ａｓｐ？ｐｉｄ＝１００１２）
【０００３】
上記特許文献１のタイプでは、薬液供給部が実験動物の外部にあるため、実験動物が動き回る際にその薬液供給部が実験動物から移動しやすく、カテーテルが実験動物から外れてしまう危険性を有する。また実験動物にカテーテルが刺し込まれているので刺し込み部の皮膚などが炎症してしまう危険性が高い。
上記非特許文献１のタイプは、薬液輸送装置から実験動物の体内に薬液を供給するマイクロポンプを備えていないことから、薬液を実験動物の体内に供給するのは基本的に外部の専用のニードルからの薬液の供給力による。よって薬液を実験動物に継続的に、また定量的に供給することはできない。
上記特許文献２のタイプは、インスリンを供給する装置を患者の体内に植込むものであるが、カテーテルを腹腔内に留置することから人工膵臓そのものも腹腔の近傍に植込むものと予想される。従って、皮下に埋め込むタイプほどには小型・薄型化は要求されないことから比較的に大型、又は厚型の人工膵臓であるものと思われる。また前述のリチャージャブルバッテリー、インスリンリザーバー、マイクロポンプ、カテーテル等を人工膵臓内でどのように配置するかについては、具体的な開示はなされていない。
【０００４】
このため、最近は出願人から、薬液輸送装置の中に薬液供給部と薬液を外部に供給するマイクロポンプとマイクロポンプを駆動する電池とマイクロポンプの駆動を制御する制御部とを備えた自己完結型の薬液輸送装置（流体輸送装置）が提案されている。
この場合、上記薬液輸送装置は、まず上記のように動物の体内に埋め込まれる場合には特に求められるが、薬液輸送装置の中の流体流動経路と外観表面全体とが滅菌処理され、その状態が維持される必要がある。さらに上記薬液輸送装置は、上記マイクロポンプの駆動を制御する駆動制御部（ＬＳＩ）にその制御プログラム（たとえばマイクロポンプの駆動開始時期、駆動スピード、駆動停止時期など）を書き込むことが要求される。それは、予め上記プログラムが書き込まれた駆動制御部（ＬＳＩ）を上記薬液輸送装置に組み込むこともできるが、上記薬液輸送装置の組立て完成後に内蔵する駆動制御部（ＬＳＩ）に上記プログラムを書き込むことの方が書き込む際の確実性や作業性の観点で好ましい場合があり、あるいは使用目的や状況によって上記プログラムが変わる場合があり、その場合にも完成した上記薬液輸送装置に当該プログラムを外部から書き込むことが必要になる。
【０００５】
そこで、上記のように完成した薬液輸送装置に当該プログラムを外部（パソコンなど）から書き込む場合には、データ伝送システムが用いられることが提案されている。
図３には、薬液輸送装置１に外部（パソコンなど）からプログラムを書き込むデータ伝送システム１０が図示されている。
このデータ伝送システム１０は、薬液輸送装置１を収納した前述の密封収納パッケージ６をセットするデータ書込み用ボックス１１、このデータ書込み用ボックス１１に形成された外部端子に挿入して導通が行われるボックス側接続ケーブル１２、ボックス側接続ケーブル１２に接続している中継ボックス１３、この中継ボックス１３に接続しデータ転送装置のパソコン（パーソナルコンピュータ）に接続する転送側ケーブル１４を備えている。
上記パソコンにより予め作成された当該プログラムが、データ伝送システム１０を介して薬液輸送装置１の駆動制御部（ＬＳＩ）、特にその中の記憶回路に書き込まれて、マイクロポンプの駆動が制御されるものである。
【０００６】
上記データ伝送システム１０におけるデータ書込み用ボックス１１、このデータ書込み用ボックス１１に収納される収納パッケージ１０６および収納パッケージ１０６に収納された薬液輸送装置１の構造と作用について、図１４に基づいて説明する。
図１４は、薬液輸送装置１が収納された収納パッケージ１０６が、データ書込み用ボックス１１の下ボックス１１５（図３では１５に相当）に載置され、上ボックス（蓋）１１６（図３では１６に相当）が下ボックス１１５に閉じられた状態を示す主要部の断面図である。
上記薬液輸送装置１が収納される前の状態の密封収納パッケージ１０６は、プラスチック薄板からなり図１４の上側にあたる箱状の収納空間本体構成部１０７ｂとこの収納空間本体構成部１０７ｂの外周に水平状に形成された本体外周部１０７ｃとを備えたパッケージ本体１０７を有し、上記収納空間本体構成部１０７ｂ内には上記滅菌された薬液輸送装置１が収納され、しかる後に上記本体外周部１０７ｃの下面に薄紙からなるパッケージ蓋体１０８が接着材にて接合されている。あるいは密封収納パッケージ１０６内に上記薬液輸送装置１が収納された後に、パッケージ蓋体１０８を通して滅菌処理されてもよい。いずれにしても密封収納パッケージ１０６内は滅菌状態が確保されているものである。
【０００７】
図１４の下ボックス１１５には、導電金属からなる一対の押上げピン１１７が上下移動可能に案内穴に配置されておりコイルバネ１１９により上方向に押し上げられている。この一対の押上げピン１１７は、図３のボックス側接続ケーブル１２に各々接続されており、中継ボックス１３内の信号変換回路を経由し、転送側ケーブル１４を介してパソコンに接続している。
【０００８】
上ボックス１１６（図３では１６に相当）が下ボックス１１５に閉じる前の状態において、下ボックス１１５に形成された案内溝部１１５ｂに薬液輸送装置１が収納され密封された密封収納パッケージ１０６が挿入されると、上記一対の押上げピン１１７の先端が、密封収納パッケージ１０６のパッケージ蓋体１０８の下面に接触する。しかる後、図１４の状態のように上記パッケージ蓋体１０８が閉じると、上記一対の押上げピン１１７は、上記パッケージ蓋体１０８を突き破ることになり、押上げピン１１７の先端は、薬液輸送装置１の底壁２０に配置した導電材からなる接触部材２１を押し上げると、上記底壁２０が上方に弾性変形する。この弾性変形により、上記接触部材２１は、回路基板５の下面に形成されている回路基板端子５ａに接触することになる。この回路基板端子５ａは上記薬液輸送装置１の駆動制御部（図示せず）、特にその中の記憶回路に接続しているものである。
こうしてパソコンから上記薬液輸送装置１の駆動制御部（図示せず）、特にその中の記憶回路まで電気的に接続するので、パソコンのプログラムが上記駆動制御部に書き込まれることになる。
【発明の開示】
【発明が解決しようとする課題】
【０００９】
図１４の状態のように上記上ボックス１１６が閉じると、上記一対の押上げピン１１７が上記パッケージ蓋体１０８を突き破ることにより、それまで滅菌状態が保持されていた密封収納パッケージ１０６内の滅菌状態が損なわれる可能性が生じる。
すなわち、上記押上げピン１１７がパッケージ蓋体１０８を突き破るとパッケージ蓋体１０８は破れ、その破れ部１０８ｃと上記押上げピン１１７との密着が確保されない状態になって外気が侵入することになり、内部の滅菌状態が確保できない可能性が生じる。
したがって、パソコンから制御プログラムを書き込んだ後長時間が経過すると、場合によっては滅菌状態を維持できないか、あるいはゴミや誇りが侵入した状態のまま上記薬液輸送装置１を動物体内に埋め込むことが有りうる。
【００１０】
このため、パソコンから制御プログラムを書き込む場合は、滅菌状態が担保されあるいは空気のクリーン度が高い環境下で上記薬液輸送装置１を密封収納パッケージ１０６に収納し、この密封収納パッケージ１０６を上記データ書込み用ボックス１１に収納してから上記薬液輸送装置１に上記制御プログラムを書き込むことが求められている。このため、上記制御プログラムを書き込む際には、滅菌状態が担保されあるいは空気のクリーン度が高い環境を確保するか、最新の注意を払って滅菌状態またはゴミや誇りが侵入しない状態を確保する必要があり、だれでもどこででも上記作業を行うことができないという課題を有している。
【００１１】
そこで本発明は、上記の課題を解決するもので、収納パッケージ内の密封状態が維持されたまま上記収納パッケージ内に収納された小型電子機器と外部との間においてデータ通信などの電気導通が可能な密封収納パッケージおよび密封収納パッケージシステムを提供することを目的とする。
【課題を解決するための手段】
【００１２】
本発明の実施態様１の密封収納パッケージは、小型電子機器を密封収納した状態で前記小型電子機器と外部電子機器との間においてデータ通信可能な密封収納パッケージであって、前記密封収納パッケージは、前記小型電子機器を収容するパッケージ本体と、前記パッケージ本体の開口部を覆うことにより収納空間を形成し前記収納空間に前記小型電子機器を収納した状態で前記パッケージ本体に接合するパッケージ蓋体とを有しており、前記パッケージ本体は、平面方向での中央側には前記収納空間を構成する収納空間本体構成部と、前記収納空間本体構成部の外周側には前記パッケージ蓋体と接合することにより前記収納空間を密封する本体外周部とを備え、前記パッケージ蓋体は、非導電性材料かつ断面方向に変形が可能な材料で構成され、平面方向での中央側には前記収納空間を構成する収納空間蓋体構成部と、前記収納空間蓋体構成部の外周側には前記本体外周部と接合することにより前記収納空間を密封する蓋体外周部とを備えており、前記パッケージ蓋体の前記収納空間蓋体構成部には前記変形された際には前記小型電子機器の導通端子と接触して導通可能な蓋体導通端子が構成され、前記蓋体外周部には前記蓋体導通端子と導通している外部導通端子が形成されていることを特徴とする。
【００１３】
上記構成によれば、密封収納パッケージに密封収納された状態で前記小型電子機器と外部電子機器との間で導通を行うことができる。すなわち、前記小型電子機器と外部電子機器との間で導通を行おうとする場合は、前記パッケージ蓋体の前記収納空間蓋体構成部が外部から前記小型電子機器側に押圧されて変形し、前記蓋体導通端子が前記小型電子機器の導通端子と接触した状態で、前記蓋体外周部に形成された前記外部導通端子に外部電子機器に導通している外部端子を接触導通するようにするものである。
したがって、図１４のように前記外部端子が前記パッケージ蓋体を突き破ることは不要となるので、密封収納パッケージ内の密封状態が損なわれることがない状態で上記前記小型電子機器と外部電子機器との間で導通を行うことが出来る。
このため、例えば密封収納パッケージ内の前記小型電子機器の滅菌状態は確保できるものであり、あるいは外部から有害なゴミや埃が内部に侵入することを確実に防止することが出来る。
【００１４】
上記密封収納パッケージに密封収納された状態で前記小型電子機器と外部電子機器との間での導通は、例えば、前記小型電子機器に外部電子機器から動作制御用のプログラムを書き込むことや、あるいは動作確認の信号や、電気特性のテスト用信号を供給する場合などに用いられる。
なお、上記パッケージ本体は絶縁性材料が好ましく、例えばプラスチックや合成ゴムなどの薄板上が最適である。また前記パッケージ蓋体も絶縁性材料の薄板が好ましく、例えばプラスチックや合成ゴムが用いられてもよいが、薄紙（紙シート材）が最適である。
また、前記パッケージ蓋体の収納空間蓋体構成部に形成された蓋体導通端子は、薄板導電材、例えば薄板金属が好ましく、上記収納空間蓋体構成部の内面、すなわち収納空間側の内面に接着剤などにより接合形成されていることが好ましい。さらに、前記パッケージ蓋体の前記蓋体外周部に構成されている外部導通端子は、薄板導電材、例えば薄板金属が好ましく、前記蓋体外周部の上記内面に接着剤などにより接合形成されていることが好適である。それに平面位置において中央側に配置されている前記蓋体導通端子と外周側に配置されている外部導通端子とを導通する端子間導通部は、前記蓋体導通端子と外部導通端子とが形成されている上記内面に形成されていると前記蓋体導通端子と外部導通端子との導通が良好に行われやすくなる。
【００１５】
なお、前記蓋体導通端子と端子間導通部と外部導通端子とは、少なくともいずれか一方が前記パッケージ蓋体の外面、すなわち前記収納空間の外側面に配置形成されていてもよい。
前記蓋体導通端子が上記外面に形成されている場合は、その一部が上記内面に突出する内面突出部が構成されることが必要で、上記内面突出部が上記密封収納パッケージに密封収納された状態で前記小型電子機器の接続端子に接触できるようにする必要がある。
また前記外部導通端子が上記外面に配置形成され、前記蓋体導通端子と端子間導通部とが前記内面に配置形成されている場合は、前記外部導通端子と前記端子間導通部とは、前記パッケージ蓋体のどこかにおいて断面方向で導通するよう構成する必要がある。
【００１６】
なお、上記小型電子機器は、流体輸送装置に好適であり、前述したような実験動物の皮下に埋め込んで薬液の動物実験に用いることが出来る。その薬液は、医療用の新薬開発のためであったり、小動物の栄養剤の開発のためであったり、その用途には限定されるものではない。また、上記流体輸送装置は、実験動物に埋め込むための装置に限定されず、人体の皮下に埋め込む用途にも適用され、例えば医療用の治療薬液であったり、栄養液であったりし、例えば血管に、あるいは筋肉に注入されるものでもよい。さらに、上記流体輸送装置は、その他の流体輸送のためならばどのような用途であってもよく、小型の流体輸送装置に適する用途が好ましい。その流体は、上記以外の液体や、ガス等の気体であってもよい。
本発明の小型電子機器は、上記以外の小型電子機器でもよく、前述したような外部電子機器との間においてデータ通信が可能な密封収納パッケージに収納され外部電子機器との間においてデータ通信可能な小型電子機器ならばどのようなものでもよい。
【００１７】
また上記外部電子機器は、パソコン（パーソナルコンピュータ）が好適であるが、それ以外の電子機器であってもよく、電子データを送受信できるものならばどのようなものであってもよい。
さらに通信可能な上記データは、上記小型電子機器にプログラムなどの電子データを送信し書き込むことに好適であるが、それ以外のデータ通信に用いても良く、例えば上記小型電子機器の電子検査を開始するための検査開始指令を転送することや、その検査結果データを上記小型電子機器から上記外部電子機器側に転送するものであってもよい。
【００１８】
また、本発明実施態様２の密封収納パッケージは、実施形態１の密封収納パッケージであって、前記外部導通端子は前記蓋体外周部の内面側に形成されており、前記蓋体外周部は前記外部電子機器と接続している外部端子が突き破ることが可能な材料から構成されており、前記蓋体外周部が突き破られた際に前記外部端子が前記外部導通端子と導通可能に構成されていることを特徴とする。
【００１９】
上記構成によれば、前記外部導通端子は前記蓋体外周部の内面側に形成されているので、前述のように前記内面に配置形成されることが好適な蓋体導通端子と端子間導通部との導通が良好に行われやすくなる。また前記外部導通端子は前記蓋体外周部の内面側に形成されていると、密封収納パッケージを搬送する際や保管する際に、上記外部導通端子に汚れが付きにくくなり、前記外部電子機器と接続している外部端子との良好な導通関係が確保されることになる。
また、上記のように外部端子が上記外部導通端子と導通を図ろうとする場合に、外部端子が前記蓋体外周部を突き破ることにより上記導通をとることができるものである。
【００２０】
また、本発明実施態様３の密封収納パッケージは、実施態様１乃至実施態様２のいずれか１つに記載の密封収納パッケージであって、前記蓋体導通端子は前記収納空間蓋体構成部の内面側に形成されていることを特徴とする。
【００２１】
上記構成によれば、前記蓋体導通端子は前記収納空間蓋体構成部の内面側に形成されているので、密封収納パッケージに収納されている前述の小型電子機器の接続端子に接触しやすくなる。すなわち、外部から前記収納空間蓋体構成部が前述小型電子機器の接続端子側に押されることにより変形し、前記蓋体導通端子が前述小型電子機器の接続端子側に接触しやすくなり導通がより確実になるものである。
【００２２】
また、本発明実施態様４の密封収納パッケージは、実施態様１乃至実施態様３のいずれか１つに記載の密封収納パッケージであって、前記本体外周部と前記蓋体外周部の平面外形形状は略四辺形に形成されており、前記外部導通端子は、前記略四辺形における角部付近に配置されていることを特徴とする。
【００２３】
上記構成によれば、密封収納パッケージの前記本体外周部と前記蓋体外周部の平面形状は略四辺形に形成されており、前記略四辺形における角部周辺は広い平面スペースを有することになる。
そこで、前記外部導通端子は、平面スペースにおいて広い上記角部周辺に配置されていることから広い平面スペース内に配置形成することができ、前記外部導通端子を平面的に大きく形成することもでき、前記外部電子機器と接続している外部端子を上記外部導通端子に接触させることが容易となるものである。
この外部端子は、図３のように流体輸送装置収納ボックスに配置形成されて上記外部導通端子に接触するようにしてもよい。あるいは、作業者が手作業にて外部端子を操作して上記外部導通端子に接触するようにしてもよい。どちらにしても前記外部導通端子が形成された平面スペースが広いほうが、外部端子を外部導通端子に接触する作業がし易くなるものである。
【００２４】
本発明実施態様５の密封収納パッケージは、実施態様１乃至実施態様４のいずれか１つに記載の密封収納パッケージであって、前記蓋体外周部の外部導通端子は、前記蓋体導通端子または前記外部導通端子と前記蓋体導通端子とを接続している端子間導通部より厚く構成されていることを特徴とする。
【００２５】
上記構成によれば、前記外部端子が外部導通端子に接触する際には押圧されるので、前記外部端子が外部導通端子に多少なりとも食い入ることになる。そこで前記蓋体外周部の外部導通端子が厚く形成されていることから、前記外部端子が外部導通端子に深く食い入ることができ、両者の断面方向での接触長さが長くなって両者の導通がより良好になるものである。
【００２６】
本発明実施態様６の密封収納パッケージは、実施態様１乃至実施態様５のいずれか１つに記載の密封収納パッケージであって、前記外部電子機器とデータ通信可能なデータ通信装置に前記密封収納パッケージがセットされた際に、前記データ通信装置側から押圧されて前記収納空間蓋体構成部に形成された前記蓋体導通端子が前記小型電子機器の導通端子に接触できるように前記収納空間蓋体構成部は断面方向に変形が可能であるように構成されていることを特徴とする。
【００２７】
上記構成によれば、上記データ通信装置に密封収納パッケージが収納セットされると、データ通信装置の押上ピンなどの押上部材に押されて前記収納空間蓋体構成部が断面方向に変形し、前記蓋体導通端子が前記小型電子機器の通信用端子に接触するので、前記小型電子機器の通信用端子と前記蓋体外周部に形成された前記外部導通端子と外部端子と外部電子機器とが確実に導通することになる。よって外部電子機器と前記小型電子機器とにおいて通信が可能となる。
特に上記データ通信装置に密封収納パッケージがセットされて上記のように各導通が行われるので、前記収納空間蓋体構成部が断面方向に変形する平面位置や変形量が安定し、前記蓋体導通端子と前記小型電子機器の通信用端子との接触が確実に安定して行われることになる。
【００２８】
本発明実施態様７の密封収納パッケージは、実施態様１乃至実施態様６のいずれか１つに記載の密封収納パッケージであって、前記パッケージ本体は、合成樹脂から構成され、前記パッケージ蓋体は薄紙から構成されていることを特徴とする。
【００２９】
上記構成によれば、前記パッケージ本体と前記パッケージ蓋体は、ともに絶縁性が確保されるから、各導通部品同士がいたずらにショートすることが防止される。
さらに、前記パッケージ蓋体は薄紙から構成されるので、前述した断面方向の変形が可能であると共に、外部電子機器と接続している外部端子が前記蓋体外周部を突き破ることが可能であり、上述したように外部端子が外部導通端子と導通することが容易とする。
【００３０】
また、本発明実施態様８の密封収納パッケージは、実施態様１乃至実施態様７のいずれか１つに記載の密封収納パッケージであって、前記小型電子機器は、動物の体内に埋め込んで流体を供給する流体輸送装置であることを特徴とする。
【００３１】
上記構成によれば、前記小型電子機器が動物の体内に埋め込んで流体を供給する流体輸送装置であることは、この流体輸送装置が密封収納パッケージに収納されている状況では滅菌状態が担保されることが要求されているものである。
しかるに、前述のように密封収納パッケージに収納された状態で、しかも滅菌状態が維持された状態で前記流体輸送装置に外部から通信すること、好ましくは制御用プログラムを書き込むことが出来ることは、上述の要求に確実に適合できるものである。
【００３２】
また、本発明実施態様９の通信可能な密封収納パッケージシステムは、実施態様１乃至実施態様８のいずれか１つに記載の密封収納パッケージと、前記密封収納パッケージに収納されている小型電子機器と、前記密封収納パッケージをセットして外部電子機器との間においてデータ通信可能なデータ通信装置とを備えたことを特徴とする。
【００３３】
上記構成によれば、実施態様１乃至実施態様８のいずれか１つに記載の密封収納パッケージと、前記密封収納パッケージに収納される小型電子機器と、前記密封収納パッケージをセットして外部電子機器との間においてデータ通信可能なデータ通信装置とを備えているもで、前述したように密封収納パッケージ内の密封状態が維持されながら上記密封収納パッケージ内に収納された小型電子機器と外部との間においてデータ通信などの電気導通が可能な密封収納パッケージシステムをもたらすという効果を有しているものである。
【発明の効果】
【００３４】
本発明によれば、密封収納パッケージ内の密封状態が維持されながら上記密封収納パッケージ内に収納された小型電子機器と外部との間においてデータ通信などの電気導通が可能な密封収納パッケージおよび密封収納パッケージシステムを提供することができる。
【発明を実施するための最良の形態】
【００３５】
以下、本発明の実施の形態を図面に基づいて説明する。
〔第１実施形態〕
本発明の第１実施形態は、小型電子機器としての実験動物の皮下に埋め込むための流体輸送装置である薬液輸送装置１を密封収納する密封収納パッケージ６に係わるものである。
上記実験動物とは、マウス、ラット、モルモット等の薬液の動物実験を行い得る小動物を指す。
薬液とは、例えば薬用液体や栄養液体を指し、それらの開発のための動物実験や動物の治療を行うための全ての液体をいう。
【００３６】
図１は、実験動物の皮下に埋め込むための薬液輸送装置１を示すもので、その（１）は薬液輸送装置１の平面図、（２）は（１）の下側（裏側）から見た裏面図、（３）は（１）の右側から見た右側面図である。
【００３７】
まず、薬液輸送装置１について説明する。
最初に薬液輸送装置１の外観は、次の通りである。
薬液輸送装置１の外観は、略箱型状である。図１の（１）および（２）において、長手方向の左右横幅寸法は概ね４５ｍｍ、（２）の幅狭幅方向（短手方向）の奥行寸法は概ね２３ｍｍ、（１）および（３）における高さ寸法は概ね１０．５ｍｍである。
上記薬液輸送装置１の外形形状は、（２）のように左端および右端が半円状に形成され、（１）の左側面は大きな左端下がりの傾斜面に、右側面は小さな傾斜面に形成されており、下端面と上端面および右側面はほぼ直線状に形成されている。（１）における手前側側面と向う側側面とは（３）のように下端面から上端面に向かって上端面が幅狭な傾斜状に形成されている。上記のように左端平面および右端平面が半円状に形成され、左側面と右側面および手前側側面と向う側側面とが傾斜面に形成されていることは、薬液輸送装置１が実験動物の皮下に埋め込まれた際に生じる皮膚等の引っ張り等を極力防止して動物への負担を軽減するためである。
【００３８】
図１の（１）の中央付近から左寄り位置には、上端面から注入ポート２が突出配置されている。この注入ポート２から左端側に構成されている前述の傾斜面からはリザーバー３の一部が突出するように構成されている。
なお、薬液輸送装置１の各コーナーは、小さな円弧状に形成されているもので、上記と同様に実験動物の皮下部に損傷を与えないように配慮されている。
また、薬液輸送装置１の外周端の複数個所には、薬液輸送装置１を実験動物の皮下に糸にて縫い付けて固定するため前記糸を通す糸掛け部が突出形成されているが、図示は省略する。
【００３９】
次に薬液輸送装置１の全体レイアウトの概要を説明する。
図１において、薬液輸送装置１には、ほぼ中央の上端面に突出形成されており外部から薬液が薬液輸送装置１に注入される注入ポート２と、その左隣に配置され薬液輸送装置１全体のほぼ左半分の面積を有し注入ポート２に連通することにより薬液を内部に貯蔵するリザーバー３（内部の図示は省略）と、前記リザーバー３に連通して薬液を導通させる弾性を有するチューブ４（内部の図示は省略）と、薬液輸送装置１全体のほぼ右半分側に配置されてチューブの略中央部付近に構成されているマイクロポンプ（図示は省略）と、マイクロポンプの駆動回路及びこの駆動回路を制御する制御回路を備えた集積回路（ＬＳＩ）等からなる回路部（図示は省略）および必要に応じて他の電子素子を実装し且つ各電子部品間の導通を図る回路基板５（図６参照）と、前記チューブ４とマイクロポンプに平面視方向で重なり前記リザーバー３とは平面視方向で重ならない扁平円形状の電池（酸化銀電池）（図示は省略）、が配置されている。
上記チューブ４の後端は、図１の（１）に図示されているように薬液輸送装置１の右端部から外部に突出しており、実験動物の体内に薬液を供給するカテーテルに接続するように構成されている。
なお、上記平面視とは、各図の平面図（図１等）でその紙面の上から紙面を見た状態を意味する。図１の薬液輸送装置１を紙面に対して上方向（紙面と垂直方向）から見ることをいう。
【００４０】
ここで、マイクロポンプについて若干説明する。
マイクロポンプは、注入ポート２を介して外部から注入された薬液がリザーバー３に貯蔵された後、上記薬液を、薬液輸送装置１における図１の（１）図示のように右側面から外部に突出しているチューブ４からカテーテルを介して動物の体内に駆動供給するものである。
このため、マイクロポンプは、回転駆動部、回転駆動部により回転し前述のチューブ４を押圧するカム部を有している。上記回転駆動部は、上記電池により駆動電力が供給されており、駆動回路と制御回路により駆動が制御されるものである。その駆動制御は、例えばマイクロポンプに関する回転開始時、回転停止時、回転速度、回転駆動間隔等を制御するものであり、その駆動制御プログラムは、予め上記集積回路（ＬＳＩ）に記憶させておくことができるが、各実験動物の種類によって上記駆動プログラムが最適に選定されることから、外部から随時書き込まれることが好ましい。
【００４１】
次に、薬液輸送装置１の減菌処理ついて説明する。
この減菌処理は、薬液輸送装置１が実験動物の体内、皮下に挿入配置されることから、細菌汚染から実験動物を防止するために菌を減少させるか滅亡させるかの処理であり、極めて重要な処理である。
まず、薬液の流体導通経路を構成する部材に、減菌処理を施す。
ここで、流体導通経路構成部材は、該当部品が組み立てられた流体導通部ユニット（図示省略）を指す場合と、前記流体導通部ユニットの各個別部材を指す場合とがある。
上記減菌処理は、組み立てられた流体導通部ユニットに対して施す場合と、前記流体導通部ユニットの個別部材各々に対して施す場合とがある。作業性からは流体導通部ユニットに組み立ててから流体導通部ユニットに減菌処理を施すことが好ましい。流体導通経路構成部材の個別部材各々に対して減菌処理を施す場合は、減菌処理された個別部材各々を用いて減菌処理された無菌状態の無菌室内で組み立てする必要がある。
なお上記流体導通経路構成部材は、注液ポート２、リザーバー３、チューブ４、注液ポート２とリザーバー３を接続するリザーバー接続パイプ（図示省略）、リザーバー３とチューブ４を接続するチューブ接続パイプ（図示省略）などを含んでおり、それらの内部空間に前述の薬液が流動するものである。
【００４２】
上記組み立てられた流体導通部ユニットに減菌処理を施す場合について説明する。
この場合は、上記流体導通部ユニットに対して、エチレンオキサイドガスにてガス減菌処理が施されることが好ましい。このエチレンオキサイドガスでのガス減菌処理は、前記流体導通部ユニットの入口である注入ポート２に密着配置されている弾性材の注入ポートパッキン（図示省略）からエチレンオキサイドガス注入具（あるいはエチレンオキサイドガス供給装置）が刺し込まれ、エチレンオキサイドガスが注入され、上記流体導通部ユニットの排出部であるチューブ４の先端から上記ガスが排出されるようにする。このため、流体導通部ユニットの流体導通経路の全体がエチレンオキサイドガスにより減菌される。上記エチレンオキサイドガスの注入は、所定時間にわたって注入してもよく、瞬間的な注入だけでもよい。
【００４３】
上記ガス減菌の終了を確認したならば直ちに外部に露出したチューブ４の先端を加熱圧着し封止することが好まし。流体導通部ユニット内の減菌状態が維持されるからである。
以上により、前記流体導通部ユニットの薬液導通経路の減菌処理は終了する。前記外部に露出したチューブ４の加熱圧着された先端は、前記流体導通部ユニットが薬液輸送装置１に組み込まれた後、実験動物に埋め込まれる前後の適切なタイミングで開封され、カテーテルと接続される。
【００４４】
次に、薬液輸送装置１全体に減菌処理を施すが、その減菌処理について説明する。
薬液輸送装置１の構成部品や構成ユニットが組み込まれて薬液輸送装置１が完成するが、この完成された薬液輸送装置１全体に、エチレンオキサイドガスにてガス減菌処理を施す。なお、上記薬液輸送装置１全体への減菌処理は、好ましくは後述する密封収納パッケージ６の中に上記薬液輸送装置１を密封してから行うことが好ましい。すなわち上記薬液輸送装置１が密封収納パッケージ６の中に密封された後に、密封収納パッケージ６のパッケージ蓋体８を滅菌ガスが透過するようにして行うものである。上記パッケージ蓋体８は、エチレンオキサイドガスなどの滅菌ガスを通すが細菌は透過させない特殊材質を用いるものである。
以上の様に、減菌処理は２回行われる。すなわち、前記流体導通部ユニットに組み立ててから前述のガス減菌処理を施し、薬液輸送装置１が完成してから前述のガス減菌処理を施す。１回目の減菌処理は、薬液導通経路が狭い通路と小さい袋で構成されているので、そのような厳しい減菌処理に最適な処理方法（ガスの種類、ガス圧、ガス注入時間等）を選択できる。一方、薬液輸送装置１の完成後に減菌処理を施すことにより、薬液輸送装置１の外装ケース、注入ポート２、リザーバー３、チューブ４等の外部に露出する部材や内蔵部材の材質に損傷を与えないようなガス環境にて減菌処理を施すことができる。
なお、前記流体導通部ユニットにおける最初の減菌処理は、前述のガス減菌処理以外でもよく、例えば、放射線滅菌処理を施してもよい。なお、流体導通部ユニットの各構成部品を高温に耐える材質に選定した場合は、高圧蒸気滅菌処理を施してもよい。
【００４５】
上記高圧蒸気の排出を確認してから外部に露出したチューブ４の先端を加熱圧着し封止すると好ましい。
以上により、薬液輸送装置１が完成するものであり、この薬液輸送装置１は、密封収納パッケージ６に密封収納されてからユーザー側に送品され動物実験に供されるものである。
【００４６】
ここで、密封収納パッケージ６について詳述する。
密封収納パッケージ６は、図２に図示されている。
図２の（１）は、密封収納パッケージ６の平面図、（２）は（１）のＡ−Ａ位置における主要部の断面図、（３）は（１）のほぼ中央部における上下方向（短手方向）での主要断面図である。
密封収納パッケージ６は、小型電子機器である前記薬液輸送装置１を収容するパッケージ本体７と、前記パッケージ本体７において図２の（２）において上方に開口した開口部７ａを覆い外周部にてパッケージ本体７に接合されるパッケージ蓋体８とを有している。
前記パッケージ本体７とパッケージ蓋体８が接着材にて接合されることにより薬液輸送装置１の収納空間６ａが形成される。なお、収納空間６ａに前記薬液輸送装置１が収納され後に前記パッケージ本体７にパッケージ蓋体８が接合されることになる。
上記接着材は、合成樹脂接着材が耐久性の上から好ましく、たとえばエポキシ樹脂接着材が用いられる。接着材は、熱可塑性でも熱硬化性でもよく、光硬化性でもよい。
上記接着剤は、上記収納空間６ａの全周を漏れなく接着する必要がある。
【００４７】
前記パッケージ本体７は、平面方向での中央側には前述したように上側に開口する開口部７ａが形成されて前記収納空間６ａを構成する収納空間本体構成部７ｂと、前記収納空間本体構成部７ｂの外周側に前記パッケージ蓋体８と接合し前記収納空間６ａを密封する本体外周部７ｃとを備えている。上記収納空間本体構成部７ｂには、薬液輸送装置１の上端面から突出して形成されている注入ポート２を収納する注入ポート収納部７ｄが形成されており、収納空間本体構成部７ｂのその他の内面は、薬液輸送装置１の上端面や側方の傾斜面を支持しているものである。なお、図２の（２）に図示された上記収納空間本体構成部７ｂに収納される薬液輸送装置１は、図１の（１）に図示された薬液輸送装置１を１８０度回転させた向きとなっている。
上記パッケージ本体７は、絶縁性材料で形成されており、例えば合成樹脂や合成ゴムあるいはセラミックスなどの絶縁性エンジニアリング材料である。上記合成樹脂としては、ＰＥＴ（ポリエチレンテレフタレート）が好ましく、ＰＥＴ以外の例えばポリカーボネート樹脂やその他のエンジニアリング合成樹脂であってもよい。
上記パッケージ本体７は、厚さが０．１ｍｍ程度の薄板状に形成されていることが好ましい。上記厚さは、０．０５〜０.２ｍｍ程度が製造上および取扱い上から実用的である。
【００４８】
前記パッケージ蓋体８は、平面方向での中央側には前記収納空間６ａを構成する収納空間蓋体構成部８ａと、前記収納空間蓋体構成部８ａの外周側には前記本体外周部７ｃと接合し前記収納空間６ａを密封する蓋体外周部８ｂとを備えている。
上記パッケージ蓋体８は、非導電性材料で構成されており、例えば紙や合成樹脂や合成ゴムなどで、断面方向（図２の（２）では上下方向）に弾性変形可能である。
上記紙として好適なものは、特種製紙株式会社のＳベランＭＤＰ−ＨＳ（商品名）、あるいは株式会社巴川製紙所の滅菌袋用紙（塗工タイプ）（商品名）である。
これらの紙は、エチレンオキサイドガスなどの滅菌ガスを通すが細菌は透過させない特殊材質である。
上記パッケージ蓋体８の厚さは、０．１ｍｍ程度が好ましく、０．０５〜０.２ｍｍ程度が実用的である。
なお、前記パッケージ蓋体８は、上記のように一部品で構成しているが、別々に構成された複数の部品を接合して一体化し構成してもよく、たとえば上記収納空間蓋体構成部８ａと前記本体外周部７ｃとを別部材で構成し、両者を接合して一体化してもよい。その場合、たとえば上記収納空間蓋体構成部８ａは合成樹脂の薄膜でつくり、前記本体外周部７ｃは薄紙で構成し、両者の端部同士を接着材で接合して一体化してもよい。
【００４９】
前記パッケージ蓋体８の前記収納空間蓋体構成部８ａにおいてその内面（前記収納空間６ａに向かう面）には、導電性材料からなる薄板状の一対の蓋体導通部材９，９が接着材にて接合されて形成されている。上記蓋体導通部材９，９は、図２の（１）には点線で表示されているが、図２の（２）および図２の（３）には図示が省略されている。
上記蓋体導通部材９，９は、前記収納空間蓋体構成部８ａ領域では蓋体導通端子９ａを構成しており、前記蓋体外周部８ｂ領域では外部導通端子９ｂを形成している。
上記蓋体導通端子９ａは、前記パッケージ蓋体８が収納空間６ａ側に外力により弾性変形された際に前記薬液輸送装置１の導通端子（後述する接触部材２１、この接触部材２１により回路基板端子５ａにも導通する）と接触することができ、この接触により導通接続が実現する。上記外部導通端子９ｂは、前記外部電子機器であるパソコン（図示せず）と接続している外部端子（後述する１８）が前記蓋体外周部８ｂを突き破る際に前記外部端子１８と導通が行われるものである。
したがって上記蓋体導通端子９ａと外部導通端子９ｂとは導通しており、両者の中間には、端子間導通部９ｃが構成されている。
【００５０】
なお、上記蓋体導通端子９ａと外部導通端子９ｂと端子間導通部９ｃとは、一体のものではあるが、別々の部材で構成し、各々を接合して導通させるようにしても良い。
上記蓋体導通部材９、または別々に構成された上記蓋体導通端子９ａと外部導通端子９ｂと端子間導通部９ｃは、薄板導電材であり、たとえば銅、金、銀、アルミニュームおよびそれらの合金が好ましく、その厚さは１０μｍ程度が好ましいが、１〜１００μｍの範囲が実用上可能である。
上記蓋体導通端子９ａは、図７のように中央側が上方向に突出形成しているもので、この突出はプレス加工で形成してもよい。
【００５１】
上記外部導通端子９ｂの配置場所について、説明する。
前記密封収納パッケージ６において本体外周部７ｃと蓋体外周部８ｂの平面外形形状は略四辺形に形成されており、前記外部導通端子９ｂは、図２に図示されているように前記略四辺形における角部６ｂ周辺に近接配置されている。すなわち、前記外部導通端子９ｂは、２箇所が隣接して設けられているが、両者とも密封収納パッケージ６の中心部から上記角部６ｂを結ぶ線に沿って上記中心部よりも上記角部６ｂに近接して配置されている。
上記角部６ｂ付近は、他の領域に比べて平面スペースが広いことから、外部導通端子９ｂの平面スペースも広く確保することができ、後述する外部端子１８との平面方向での位置合わせが容易になり、さらに上記外部導通端子９ｂ同士の平面距離を大きく確保でき、両者のショートを防止できる。
なお、上記外部導通端子９ｂの平面配置場所は、上記に限定されることはなく、図２の（１）において、蓋体導通端子９ａの上方向側、下方向側、右方向側、左方向側に配置してもよい。ただし、上記上方向側、下方向側、右方向側、左方向側では、前記密封収納パッケージ６の外形辺までの距離が短くなるので、上記外部導通端子９ｂを構成しにくくなる。
【００５２】
上記外部導通端子９ｂが構成されている平面スペースにおいては、蓋体外周部８ｂは上記外部導通端子９ｂに前述のように接合されないようにすることが好ましい。それは外部端子１８が蓋体外周部８ｂの下面を突き破りやすくするためである。すなわち蓋体外周部８ｂが上記外部導通端子９ｂに接合されていると、外部端子１８が蓋体外周部８ｂの下面に突き当たっても蓋体外周部８ｂが外部導通端子９ｂに接着されていることにより破れにくくなり、外部端子１８と上記外部導通端子９ｂとの接触導通が良好になされないことを防止するためである。
【００５３】
上記のように構成された密封収納パッケージ６内、すなわち収納空間６ａ内に、小型電子機器である前記薬液輸送装置１が収容され密閉される。すなわち、前記パッケージ本体７に前記薬液輸送装置１が図２の（２）の向きに挿入され、前記パッケージ蓋体８が被せられ、前記パッケージ本体７の本体外周部７ｃとパッケージ蓋体８の蓋体外周部８ｂとが前記収納空間６ａの全周で接着材で接合されるものである。
上記密封収納パッケージ６内に薬液輸送装置１が収納されると、前述のごとくガス滅菌処理を施すことが好ましい。その滅菌処理は、エチレンオキサイドガスによる減菌処理が好適である。その場合は、密封収納パッケージ６のパッケージ蓋体８を滅菌ガスが透過して行うものである。上記パッケージ蓋体８は、前述した特殊材質の紙が用いられておりのでエチレンオキサイドガスなどの滅菌ガスを通すが細菌は透過さないことにより、内部の薬液輸送装置１全体が滅菌され、その滅菌状態が維持されるものである。
【００５４】
次に、上記薬液輸送装置１が収納された密封収納パッケージ６は、動物実験者のもとに搬送され、薬液輸送装置１を駆動する必要なプログラムが薬液輸送装置１に書き込まれる。すなわち、薬液輸送装置１のマイクロポンプを駆動するプログラムが、その駆動制御部のＬＳＩに転送され記憶される。なお、このプログラムの書き込みは、上記薬液輸送装置１が密封収納パッケージ６に収納され密閉された直後に行っても良く、その後に使用者に搬送されるようにしてもよい。
【００５５】
ここで、上記のように必要なプログラムを薬液輸送装置１に書き込むためには、図３に図示されたデータ伝送システム１０を用いる。このデータ伝送システム１０については、前述しているが詳細に述べる。
図３は、薬液輸送装置１に外部（パソコンなど）からプログラムを書き込むデータ伝送システム１０である。
このデータ伝送システム１０は、薬液輸送装置１を収納した前述の密封収納パッケージ６を収納するボックス状に構成されたデータ書込み用ボックス１１、このデータ書込み用ボックス１１の側壁に形成された外部端子に挿入されて導通するボックス側接続ケーブル１２、ボックス側接続ケーブル１２に接続している中継ボックス１３、この中継ボックス１３に接続しデータ転送装置のパソコン（パーソナルコンピュータ）に接続する転送側ケーブル１４を備えている。
【００５６】
薬液輸送装置１を収納した前述の密封収納パッケージ６が箱状に構成された下ボックス１５に収納載置されてから上ボックス１６（蓋）が下ボックス１５に上に閉じて保持されることにより、上記密封収納パッケージ６はデータ書込み用ボックス１１に収納保持される。この際における上記密封収納パッケージ６側と密封収納パッケージ６に密封された薬液輸送装置１との導通構造については、後述する。
しかる後、予め作成された駆動プログラムがパソコンから上記データ伝送システム１０を介して、上記薬液輸送装置１の駆動制御部の記憶部（ＬＳＩ）に転送されて記憶される（書き込まれる）ことになる。
【００５７】
上記のように駆動プログラムが書き込まれた薬液輸送装置１を動物実験に使用する場合の一例を述べれば、概略次の通りである。
動物実験者は、密封収納パッケージ６から薬液輸送装置１を取り出してから、薬液輸送装置１の注入ポート２の注入ポートパッキン（図示せず）に注液具を刺し込んで、リザーバー３の中に薬液を初期供給する。
しかるのち、実験動物の皮下に埋め込む。
予め麻痺させておいた実験動物の皮膚を切り開いて、皮下に本薬液輸送装置１の下端を下向きにセットし、糸掛け部（図示せず）の穴に通した糸を実験動物に縫い付けることにより本薬液輸送装置１を取り付ける。上記糸掛け部の穴が周囲に複数箇所にわたって設けられているので、本薬液輸送装置１を安定して取り付けることができる。
次に、薬液輸送装置１の側壁から突出しているチューブ４の先端に取り付けられているカテーテルを介して実験動物の体内、例えば血管に薬液を供給出来るようにセットする。
以上の準備が完了したところで、実験動物の皮部を縫い合わせることによって動物実験がスタートする。上記マイクロポンプによる薬液の供給量（実験動物への吐出量）は、１時間当たり０．１〜５０、多くの場合は１〜３０マイクロリットル前後であるが、予め任意に設定可能である。また動物実験中に、経過時間に応じて、その吐出量を変えるように予めＬＳＩにプログラムしておくことも可能である。
【００５８】
実験動物が動き回って何日かが経過するとリザーバー３の薬液の貯蔵量が減少する。この減少を予め設定された日数が経過することによるか、またはリザーバー３内の薬液残量を検出手段で薬液減少を検出することによって、実験者は注液具を注入ポート２の注入ポートパッキンに刺し込んで、リザーバー３の中に薬液を追加供給する。この際、実験者は、注入ポート２によって実験動物の表面が部分的に盛り上がっている個所を容易に視認することができるので、この盛り上がり個所の中央に注液具を刺し込んでリザーバー３内に薬液を補給することができるものである。
【００５９】
次に、薬液輸送装置１を収納した前述の密封収納パッケージ６が、データ書込み用ボックス１１における箱状に構成された下ボックス１５に収納載置されてから、上ボックス１６（蓋）が閉じられる前と後において、上記密封収納パッケージ６側と密封収納パッケージ６に密封された薬液輸送装置１側との導通構造およびその作用について、図４〜図９に基づいて説明する
【００６０】
図４は上記データ書込み用ボックス１１に薬液輸送装置１が収納された密封収納パッケージ６を組み込む状態を説明した斜視図、図５は上記データ書込み用ボックス１１の上ボックス１６が下ボックス１５に閉じられる前において、上記１１の下ボックス１５上に上記密封収納パッケージ６が載置された状態における図４の右側面方向から見た主要部の断面図、図６は、図５の状態において図５の左側から見た主要部の断面図、図７は、図５の状態において図５の手前側から見た主要部の断面図、図８は、図６において上記１１の上ボックス１６が下ボックス１５に閉じられた状態における主要部の断面図、図９は、図８における上記１１と上記密封収納パッケージ６側との接続部の断面図である。
【００６１】
図４において、右方には、薬液輸送装置１と、薬液輸送装置１が収納され前述のように密封された密封収納パッケージ６とが図示されており、左側には、その密封収納パッケージ６が上記１１上に移動されしかる後に下ボックス１５の所定位置に載置されている状態が図示されている。
図4の１１は、上ボックス１６が下ボックス１５に閉じられる前の状態であって、上ボックス１６が一端のヒンジ部の回転軸を回転中心に開いている状態である。
下ボックス１５には、その上面１５ａの中央側に密封収納パッケージ６の外形部と同様な内形形状の案内溝１５ｂが形成されており、この案内溝１５ｂ内に密封収納パッケージ６が若干下方に入り込んでいる。このため、上記案内溝１５ｂは密封収納パッケージ６を平面方向において位置決めすることになる。なお、密封収納パッケージ６が下ボックス１５に対して平面方向の位置出し構造は、上記以外のどのような構造であっても良く、例えば密封収納パッケージ６と下ボックス１５のどちらか一方に案内ピンを配置しておき、他方に案内ピンに挿入される案内穴を設けるようにしても良い。
【００６２】
下ボックス１５の前記案内溝１５ｂには、図５における上方向に所定位置まで押圧されて突出している2つの押上げピン１７と2つの外部端子１８とが平面方向で互いに離れた位置に配置されている。上記密封収納パッケージ６は、主には上記2つの押上げピン１７の上に載置され、さらに上記2つの外部端子１８に軽く載置されるとともに、前述のように案内溝１５ｂ内に若干はめこまれて平面方向の位置が定まることになる。上記外部端子１８の先端は、上記密封収納パッケージ６の下面と接することがないように若干低く配置されていてもよい。
上ボックス１６には、その内面１６ａの中央側に密封収納パッケージ６の上方向への突出部である収納空間本体構成部７ｂを逃げる逃げ溝１６ｂが形成されており、上ボックス１６が下ボックス１５に閉じられて固定された際に、上記逃げ溝１６ｂが上記収納空間本体構成部７ｂと当接せずに逃げるように形成されている。
【００６３】
上記上ボックス１６が下ボックス１５に閉じる前の状態における関係部材について詳述する。
図６と図７は、上記上ボックス１６が下ボックス１５に閉じる前の状態を図示している。上記閉じる前なので、上ボックス１６の下面１６ａは、下ボックス１５の上面１５ａより上方にあって下ボックス１５の上面１５ａとは離れている。
ここで、上記上ボックス１６が下ボックス１５に閉じる前の図４〜図７の図示のように、下ボックス１５の案内溝部１５ｂ内に平面方向の位置が案内された状態で前述の押上げピン１７さらには外部端子１８の各々の先端上に載置された密閉収納パッケージ６は、その外周部であるパッケージ本体７の本体外周部７ｃの裏側面（図４〜図７では上側面）が、下ボックス１５の上面１５ａから多少上側に突出しているように配置されている。
【００６４】
下ボックス１５における前述した押上げピン１７と外部端子１８の配置構造については、次の通りである。
押上げピン１７は、プラスチックや合成ゴムあるいはセラミックなどの中で比較的剛性が高い材料からなり、上記案内溝部１５ｂから上方向に突出している押上部１７ａとその下側に形成され上記押上部１７ａより径大な案内部１７ｂとを有している。上記押上部１７ａの先端の端面はほぼフラットに形成されている。上記案内部１７ｂは、下ボックス１５に形成された案内穴１５ｃに挿入されておりこの案内穴１５ｃの底部側に配置されたコイルバネ１９により上方向に押し上げられている。したがって、図６と図７の状態では、押上げピン１７は、コイルバネ１９に押し上げられているが案内穴１５ｃの上方に形成されている段差部により上方への移動は制限されている。
【００６５】
外部端子１８は、導電性材料、好ましくは銅、金、銀、アルミニューム、又はそれらの合金から構成されており、上記案内溝部１５ｂから上方向に突出している突き上げ部１８ａとその下側に形成され上記突き上げ部１８ａより径大な案内支持部１８ｂとを有している。上記案内支持部１８ｂは、下ボックス１５に形成された案内穴１５ｄに挿入されておりこの案内穴１５ｄの底部側に配置されたコイルバネ１９により上方向に押し上げられている。したがって、図６と図７の状態では、外部端子１８は、コイルバネ１９に押し上げられているが案内穴１５ｄの上方に形成されている段差部により上方への移動は制限されている。
上記突き上げ部１８ａの上先端は、尖って形成されており、後ほど述べるようにパッケージ蓋体８を突き破りやすく構成されているものである。
上記外部端子１８は、図３のボックス側接続ケーブル１２が挿入され接続する下ボックス１５の接続端部に接続している。したがって、上記外部端子１８は、図３のようにボックス側接続ケーブル１２と中継ボックス１３内の信号変換回路を経由し、転送側ケーブル１４とを介してパソコンに接続するものである。
【００６６】
前述のように薬液輸送装置１が収納されて前述のように密封された密封収納パッケージ６は、図６、図７のようにパッケージ蓋体８の下面（外面）が、前述の押上げピン１７と外部端子１８の各々の先端に載置されているものである。この上記パッケージ蓋体８の内面には、前述した蓋体導通部材９が接合されて上記パッケージ蓋体８と一体化しており、その蓋体導通部材９には、前述した蓋体導通端子９ａと外部導通端子９ｂと端子間導通部９ｃとが形成されている。
上記押上げピン１７は上記パッケージ蓋体８の収納空間蓋体構成部８ａ内の所定平面位置に配置されており、上記外部端子１８は上記パッケージ蓋体８の蓋体外周部８ｂの所定平面位置に配置されているものである。
２つの上記押上げピン１７の所定平面位置は、図６のように２つの前記蓋体導通端子９ａの平面位置に対向した平面位置であり、２つの上記外部端子１８の所定平面位置は、図６のように２つの前記外部導通端子９ｂの平面位置に対向した平面位置である。
【００６７】
図６、図７のように密封収納パッケージ６の内部には薬液輸送装置１が収納されているが、薬液輸送装置１における底壁２０の所定平面位置には導電部材からなる２つの接触部材２１が配置されている。この接触部材２１が配置された所定平面位置は、前述した蓋体導通端子９ａの平面位置に対向した平面位置である。
さらに、薬液輸送装置１において前記底壁２０の内方には、回路基板５が配置されており、この回路基板５の下面（底壁２０に対向する側の面）には、２つの回路基板端子５ａが所定平面位置に配置されている。上記回路基板端子５ａの所定平面位置は、前述した底壁２０に配置された接触部材２１の平面位置に対向した平面位置である。上記回路基板端子５ａは、回路基板５の表面に形成された導電パターン（図示せず）を介して駆動制御部が構成されたＬＳＩに接続しているものである。
【００６８】
したがって、前記押上げピン１７、蓋体導通端子９ａ、接触部材２１、回路基板端子５ａは、同じ平面位置（少なくとも一部が重なる平面位置）に配置されていることになる。
なお、図６、図７の状態においては、前記押上げピン１７はパッケージ蓋体８を実質的には押し上げてはいないものであり、したがってパッケージ蓋体８は上方向に変形せず、上記蓋体導通端子９ａが接触部材２１（および前記底壁２０）を上方向に押し上げていないものであり、上記底壁２０も上方向に変形していない。このため、接触部材２１が回路基板端子５ａとは断面方向に隙間を有することになって、両者が接触導通していないものである。
【００６９】
なお、上記のように蓋体導通端子９ａと接触部材２１との断面方向は、隙間を有するように構成されていることが好ましいが、両者が接触していてもかまわない。
また、密封収納パッケージ６の内部に収納された薬液輸送装置１は、図６、図７のように密封収納パッケージ６の開口が下向きに配置されても下方に落ちないように、密封収納パッケージ６の内部に保持されていることが好ましい。上記保持の仕方は、密封収納パッケージ６のパッケージ本体７の内面に薬液輸送装置１を軽く押し込むようにしても良く、その他の保持方法を用いてもよいものである。
上記蓋体導通端子９ａは、図７の図示のように、前記接触部材２１に対向する中心部付近が上側に盛り上がるように突出形成されているもので、上ボックス１６が下ボックス１５に閉じた図８の場合において、押上げピン１７により押し上げられた蓋体導通端子９ａが上記接触部材２１を確実に押し上げて、上記接触部材２１を回路基板端子５ａに確実に接触接続できるようにしているものである。
【００７０】
次に、上記上ボックス１６が下ボックス１５に閉じた後の状態における関係部材について詳述する。
図８は、図６の状態から、上記上ボックス１６が下ボックス１５を閉じた後の状態を図示している。上ボックス１６が図５の回転軸２２を中心に下方向に回転し下ボックス１５の表面を閉じると、図示していないが上ボックス１６の係合突起部が下ボックス１５の被係合凹部に係合し取り付け保持される。例えば、上ボックス１６の係合突起部が下ボックス１５に形成されたバネ状部を横方向に弾性変形してバネ状部に設けられた係合穴に入り込んで係合し取り付けられる。よって、上ボックス１６が下ボックス１５に閉じた状態で保持されるものである。上記上ボックス１６が下ボックス１５に閉じた状態で保持される構造や方法は、上記以外のどのようなものであっても良い。
【００７１】
上記のように上ボックス１６が下ボックス１５に閉じた状態で保持されると、上ボックス１６の下面１６ａが下ボックス１５の上面１５ａに接し、その状態が保持されることになる。
また上記のように上ボックス１６が下ボックス１５を閉じた状態で保持されると、上ボックス１６の下面１６ａは、密封収納パッケージ６の外周上面を押し下げる。
すなわち、上記上ボックス１６が下ボックス１５を閉じる前の状態である図４〜図７では、下ボックス１５の案内溝部１５ｂ内に平面方向位置が案内された状態で前述の押上げピン１７さらには外部端子１８の各々の先端上に載置された密閉収納パッケージ６は、その外周部であるパッケージ本体７の本体外周部７ｃの裏側面（図５〜図７では上側面であって）が、下ボックス１５の上面１５ａから多少上側に突出しているので、上ボックス１６が下ボックス１５を閉じた状態では、上ボックス１６の下面１６ａは、密封収納パッケージ６の外周上面、すなわち上記パッケージ本体７の本体外周部７ｃの裏側面を押し下げ、本体外周部７ｃの裏側面が下ボックス１５の上面１５ａの断面位置（高さ位置）と同等位置まで押し下げられることになる。
【００７２】
本体外周部７ｃの裏側面が下ボックス１５の上面１５ａの断面位置と同等位置まで押し下げられると、密封収納パッケージ６の全体も同様に押し下げられ、パッケージ蓋体８も押し下げられることになる。しかし前記押上げピン１７によって押し上げられている領域の収納空間蓋体構成部８ａ部分は、当該コイルバネ１９の押し上げ力が強いため、密封収納パッケージ６の全体と同様にはほとんど押し下げられないものである。このため、前記押上げピン１７によって押し上げられている領域の収納空間蓋体構成部８ａ部分は、弾性変形可能な前述した紙で構成されていることから上方向に弾性変形することになり、収納空間蓋体構成部８ａの内面に一体的に配置された蓋体導通端子９ａをも上方向に押し上げることになる。
すると、上記押し上げられた蓋体導通端子９ａが、収納されている薬液輸送装置１の底壁２０に形成されている接触部材２１を押し上げ、この押し上げられた接触部材２１が前記回路基板５の前記回路基板端子５ａに接触し導通することになる。
したがって、前記回路基板端子５ａに蓋体導通部材９が導通接続することになるものである。
【００７３】
なお、上ボックス１６が下ボックス１５を閉じる際に、前述した密封収納パッケージ６の外周上面を押し下げる構造は、上述に限定されるものではなく、他の構造であってもよい。例えば、上ボックス１６に形成されている逃げ溝１６ｂの内面や側面が密封収納パッケージ６の上表面や側面を押し下げるようにしてもよい。その場合は、上記逃げ溝１６ｂの内面や側面と収納パッケージ６の上表面や側面との間には、隙間が設けられていないように構成する。
【００７４】
一方、本体外周部７ｃの裏側面（上面）が下ボックス１５の上面１５ａの断面位置と同等位置まで押し下げられることによって、密封収納パッケージ６の全体も同様に押し下げられ、パッケージ蓋体８も押し下げられると、その蓋体外周部８ｂも同様に押し下げられる。すると上記蓋体外周部８ｂが前記外部端子１８の先端である突き上げ部１８ａに押圧される。その際、当該部の拡大図である図９に図示されているように、上記蓋体外周部８ｂは、上記薄紙で形成されており断面方向の強度が比較的弱いことに伴って尖っている突き上げ部１８ａにより破られてしまい、外部導通端子９ｂに接することになる。上記外部端子１８を押し上げているコイルバネ１９の押上げ力が強いと、上記突き上げ部１８ａが外部導通端子９ｂ内に食い込むことになって、両者の接触導通がより良好に行われるものである。
上記コイルバネ１９の押上げ力は、上記突き上げ部１８ａが上記蓋体外周部８ｂを突き破ることができる程度を必要とするが、それ以上であってもよく強ければ強いほど、上記突き上げ部１８ａが外部導通端子９ｂ内に食い込み両者の接触導通をより良好に行わせることになる。他方、上記コイルバネ１９の押上げ力が強すぎると、上記突き上げ部１８ａや外部導通端子９ｂおよび前記パッケージ本体７の本体外周部７ｃを損傷しかねない。よって、上記コイルバネ１９の押上げ力は、状況により適宜選択することが好ましい。
【００７５】
上記のように上記蓋体外周部８ｂが突き上げ部１８ａにより破られてしまい、外部導通端子９ｂに達するように作用することは、上記蓋体外周部８ｂと外部導通端子９ｂの上側に配置されている本体外周部７ｃの硬度が、上記蓋体外周部８ｂの硬度より比較的高いこと、および上記本体外周部７ｃの上側に前述の上ボックス１６の下面１６ａが配置されていることによる。すなわち、上記前記パッケージ本体７の本体外周部７ｃと上ボックス１６の下面１６ａがまな板の作用をなし、その下側の上記蓋体外周部８ｂが被切断物となり、上記突き上げ部１８ａが包丁の作用をなして上記蓋体外周部８ｂを断面方向に切り裂くものである。
なお、上記突き上げ部１８ａの先端は、尖っていることが好ましいが、上記蓋体外周部８ｂを破ることができれば尖っている形状の必要はなく、例えば上記突き上げ部１８ａの先端の上面は狭いフラットに形成されていてもよい。
【００７６】
上記のように突き上げ部１８ａが上記蓋体外周部８ｂを突き破って外部導通端子９ｂに接触するが、上記蓋体外周部８ｂにとって上記突き破られた箇所の全周は、前述したように上記蓋体外周部８ｂと本体外周部７ｃとが接着材により接合されており、あるいはそれに加えて上記蓋体外周部８ｂと本体外周部７ｃとが接着材により接合されている。
したがって、上記蓋体外周部８ｂにおける上記突き破られた箇所の全周は、密閉状態が確保されており、上記突き破られた箇所から密閉収納パッケージ６の収納空間６ａに外気が侵入することがない。このため、滅菌された薬液輸送装置１の滅菌状態が損なわれることが無いものである。
【００７７】
以上により、図３のようにパソコンから当該駆動制御等の必要なプログラムが、データ伝送システム１０を介して、薬液輸送装置１の駆動制御部などのＬＳＩの記憶部に書き込まれるようになる。すなわち、パソコンから、転送側ケーブル１４と、中継ボックス１３と、ボックス側接続ケーブル１２と、１１とへ上記プログラムデータが転送され、上記１１においては前記下ボックス１５の前記外部端子１８から密閉収納パッケージ６の外部導通端子９ｂおよび端子間導通部９ｃさらには蓋体導通端子９ａを有する蓋体導通部材９と、薬液輸送装置１の接触部材２１と、回路基板端子５ａと、回路基板導通パターンとを介して上記ＬＳＩの記憶部に上記プログラムデータが転送されて書き込まれる。しかも上述のように薬液輸送装置１の滅菌状態が損なわれることがなく、外部（パソコンなど）から必要な制御信号が転送されることができる。
【００７８】
〔第２実施形態〕
パッケージ蓋体８の収納空間蓋体構成部８ａの内面に配置されている蓋体導通部材９のうちの蓋体導通端子９ａは、図１０に図示されているようにその上表面が細かな凹凸が形成された凹凸面９ａａに構成されていても良い。
上記凹凸面９ａａにより、図８において蓋体導通端子９ａが前記底壁２０の接触部材２１と接触する際の接触が良好になる。
すなわち、蓋体導通端子９ａの上面はフラットに形成されていると、上記接触部材２１の下面との接触が面同士となるので、両者の面が互いに傾斜して対抗する場合等では、接触が不安定になるのに対し、上記凹凸面９ａａのいずれかの凸が確実に上記接触部材２１の面に接触することになるので、接触がより確実になされるものである。
また上記蓋体導通端子９ａの上面に酸化膜が形成されたとしても、上記凹凸面に形成されていると、上記接触部材２１との接触面が狭くなることにより接触圧が高まり、凹凸面の酸化膜が剥離されやすくなり、接触時の導通性が良好になるものである。
【００７９】
〔第３実施形態〕
上記のように突き上げ部１８ａが上記蓋体外周部８ｂを突き破って前記蓋体導通部材９の外部導通端子９ｂに接触する構造は、図１１のように外部導通端子９ｂに肉厚部９ｂａを構成してもよい。すなわち、外部導通端子９ｂにおいて、突き上げ部１８ａが上記蓋体外周部８ｂを突き破って外部導通端子９ｂに接触するが、この接触する部分の外部導通端子９ｂを周囲に対して断面方向に厚く形成するようにする。
上記肉厚部９ｂａが形成されていることにより、突き上げ部１８ａが外部導通端子９ｂの中に食い込む深さが深くすることができ、その分両者の接触長さが長くなって両者の導通がより確実に行われるようになるものである。このためには、コイルバネ１９により突き上げ部１８ａの押上げ力を強くすることが必要である。
【００８０】
〔第４実施形態〕
上記のように突き上げ部１８ａが上記蓋体外周部８ｂを突き破って外部導通端子９ｂに接触する構造は、図１２のように構成しても良い。
図１２は、外部導通端子９ｂがフラットではなく、突き上げ部１８ａに対向する平面領域に上方向に突出している平面円形の突出部９ｂｂが形成されて、その下側に突出空間９ｂｃが構成されている。この突出部９ｂｂの下方は、平面円形に形成された下面９ｂｄが構成されており、この下面９ｂｄの平面全周が蓋体外周部８ｂに接着材にて接合されて前記突出空間９ｂｃを取り囲んで接着している。したがって上記突き上げ部１８ａが蓋体外周部８ｂを突き破っても、外気は上記突出空間９ｂｃまで侵入するがその周囲から外方には漏れることはない。そのため上記突き破られた箇所から密閉収納パッケージ６の収納空間６ａに侵入することがない。このため、滅菌された薬液輸送装置１の滅菌状態が損なわれることは無いものである。
ここで、本体外周部７ｃには、前述の突出部９ｂｂに対向して上方向に突起している突起部７ｃａが形成されている。このため、上ボックス１６の下面１６ａにも上記突起部７ｃａを逃げると共に突起部７ｃａを支えるための凹部としての下面凹部１６ａａが形成されている。
【００８１】
〔第５実施形態〕
外部端子１８が上記蓋体外周部８ｂを突き破って前記蓋体導通部材９の外部導通端子９ｂに接触する構造は、図１３のように構成しても良い。
図１３は、パッケージ蓋体８の蓋体外周部８ｂの部分図である。図１３の（１）は、図２の（１）の右上部分に相当する箇所を拡大表示したものであり、図１３の（２）は図１３の（１）の部分断面図である。図１３の（１）において紙面より下側に、また図１３の（２）の下側に前述の収納空間６ａが形成されているものである。
図１３は、第１実施形態のように１１に配置構成された突き上げ部１８ａが上記蓋体外周部８ｂを突き破って前記蓋体導通部材９の外部導通端子９ｂに接触する装置に用いられても良いが、使用者（操作者）がパソコンに接続している外部端子１８を操作して、外部端子１８の先端が上記蓋体外周部８ｂを突き破って前記蓋体導通部材９の外部導通端子９ｂに接触するようにする場合に好適なパッケージ蓋体８構造である。
【００８２】
図１３の（１）において、外部導通端子９ｂは鎖線で表示されており、上記蓋体外周部８ｂの内側面（下面）に配置されている。上記蓋体外周部８ｂの上表面には、実線で表示され円形に表示された目印部２３が形成されている。この目印部２３の大きさは、上記外部導通端子９ｂよりも小さく形成されている。また目印部２３は印刷で円形に表示されていても良く、所定色で円形を塗りつぶしていてもよい。さらに目印部２３は、外部端子１８が突き破ることができる材料、たとえば紙などのシールでも良く、そのシールが上記蓋体外周部８ｂに貼りつけられていてもよい。
使用者は、パソコンに接続している外部端子１８を、上記目印部２３内におさまるように位置合わせしてから、蓋体外周部８ｂさらに上記シールを突き破り、内方の外部導通端子９ｂに接触させる。その場合、蓋体外周部８ｂ、外部導通端子９ｂ、本体外周部７ｃの積層体を硬い作業台などのフラットな面上に置いてから上記の作業を行うとよい。
上記のように外部端子１８を外部導通端子９ｂに接触させたまま、パソコンのプログラムを上記のように薬液輸送装置１の駆動制御部などのＬＳＩの記憶部に書き込むようにするものである。
この場合も、滅菌された薬液輸送装置１の滅菌状態が損なわれることが無いものである。
【００８３】
〔第６実施形態〕
上記各実施形態において蓋体導通部材９の外部導通端子９ｂは、パッケージ蓋体８の蓋体外周部８ｂの内面、すなわち前記収納空間６ａに向かう側の面、つまりパッケージ本端７の本体外周部７ｃとの接合面に対向する側の面に形成されていたが、この構造に限定されることはない。
第６実施形態は、図示は省略するが蓋体導通部材９の外部導通端子９ｂが、パッケージ蓋体８の蓋体外周部８ｂの外面、すなわち蓋体外周部８ｂにおいて前記収納空間６ａに向かわない側の面、つまりパッケージ本端７の本体外周部７ｃとの接合面に対向しない面に形成するように構成してもよい。この場合、蓋体導通部材９において、蓋体導通端子９ａは蓋体外周部８ｂの上記内面に形成する必要があるので、端子間導通部９ｃは、パッケージ蓋体８の蓋体外周部８ｂまたは蓋体外周部８ｂの一部を貫通して蓋体外周部８ｂにおいて本体外周部７ｃとの接合面に対向しない面（本体外周部７ｃとの接合面に対向している面とは逆の面）に延出形成する必要があり、この延出形成部分に外部導通端子９ｂが接続するようにする。
【産業上の利用可能性】
【００８４】
本発明に係わる小型電子機器を密封収納した状態で前記小型電子機器と外部電子機器との間においてデータ通信可能な密封収納パッケージ、および密封収納パッケージに収納される小型電子機器と前記密封収納パッケージを収納セットして外部電子機器との間においてデータ通信可能なデータ通信装置とを備えた通信可能な密封収納パッケージシステムであって、前述の小型電子機器は、流体輸送装置に好適であり、前述したような実験動物の皮下に埋め込んで薬液の動物事件に用いることが出来る。その薬液は、医療用の新薬開発のためであったり、小動物の栄養剤の開発のためであったり、その用途には限定されるものではない。
【００８５】
また、上記流体輸送装置は、実験動物に埋め込むための装置に限定されず、人体の皮下に埋め込む用途にも適用され、例えば医療用の治療薬液であったり、栄養液であったりし、例えば血管に、あるいは筋肉に注入されるものでもよい。
さらに、上記流体輸送装置は、その他の流体輸送のためならばどのような用途であってもよく、小型の流体輸送装置に適する用途が好ましい。その流体は、上記以外の液体や、ガス等の気体であってもよい。
本発明の小型電子機器は、以上のほかの小型電子機器でもよく、前述したような外部電子機器との間においてデータ通信可能な密封収納パッケージに収納され前述の外部電子機器との間においてデータ通信可能な小型電子機器ならばどのようなものでもよい。
【図面の簡単な説明】
【００８６】
【図１】薬液輸送装置を示しており、（１）は薬液輸送装置の平面図、（２）は（１）の裏面図、（３）は（１）の右側面図。
【図２】本発明の密封収納パッケージを示しており、（１）は、密封収納パッケージの平面図、（２）は（１）のＡ−Ａ断面位置における主要部の断面図、（３）は（１）のほぼ中央部における上下方向断面位置における主要断面図。
【図３】薬液輸送装置に外部からプログラムを書き込むデータ伝送システムの斜視図。
【図４】本発明におけるに薬液輸送装置が収納された密封収納パッケージを組み込む状態を説明した斜視図。
【図５】本発明における下ボックス上に密封収納パッケージを載置した状態における図４の右側面方向から見た主要部の断面図。
【図６】図５の左側から見た主要部の断面図。
【図７】図５の手前側から見た主要部の断面図。
【図８】図６において上記の上ボックスが下ボックスに閉じられた状態における主要部の断面図。
【図９】図８における上記と上記密封収納パッケージ側との接続部の断面図。
【図１０】本発明の第２実施形態における収納空間蓋体構成部の内面に配置されている蓋体導通端子の断面図。
【図１１】本発明の第３実施形態における突き上げ部が蓋体外周部を突き破って蓋体導通部材の外部導通端子に接触する状態の断面図。
【図１２】本発明の第４実施形態における突き上げ部が蓋体外周部を突き破って蓋体導通部材の外部導通端子に接触する状態の断面図。
【図１３】本発明の第５実施形態におけるパッケージ蓋体の蓋体外周部を示しており、（１）は蓋体外周部の拡大図、（２）は（１）の部分断面図。
【図１４】薬液輸送装置が収納された従来の収納パッケージが下ボックスに載置され、上ボックスが閉じた状態を示す主要部の断面図。
【符号の説明】
【００８７】
１：薬液輸送装置、２：注入ポート、３：リザーバー、４：チューブ、５：回路基板、５ａ：回路基板端子、６，１０６：密封収納パッケージ、６ａ：収納空間、６ｂ：角部、７、１０７：パッケージ本体、７ａ：開口部、７ｂ、１０７ｂ：収納空間本体構成部、７ｃ、１０７ｃ：本体外周部、７ｃａ：突起部、７ｄ注入ポート収納部、８、１０８：パッケージ蓋体、８ａ：収納空間蓋体構成部、８ｂ：蓋体外周部、９：蓋体導通部材、９ａ：蓋体導通端子、９ａａ：凹凸面、９ｂ：外部導通端子、９ｂａ：厚肉部、９ｂｂ：突出部、９ｂｃ：突出空間、９ｂｄ：下面、９ｃ：端子間導通部、１０：データ伝送システム、１１：データ書込み用ボックス、１２：ボックス側接続ケーブル、１３：中継ボックス、１４：転送側ケーブル、１５、１１５：下ボックス、１５ａ：上面、１５ｂ、１１５ｂ：案内溝部、１５ｃ、１５ｄ：案内穴、１６、１１６：上ボックス、１６ａ：下面、１６ａａ：下面凹部、１６ｂ：逃げ溝、１７、１１７：押上げピン、１７ａ：押上部、１７ｂ：案内部、１８：外部端子、１８ａ：突き上げ部、１８ｂ：案内支持部、１９、１１９：コイルバネ、２０：底壁、２１：接触部材、２２：上ボックスの回転軸、２３：目印部、１０８ｃ：破れ部
【図１】
2009011617.tif 000003
【図２】
2009011617.tif 000004
【図３】
2009011617.tif 000005
【図４】
2009011617.tif 000006
【図５】
2009011617.tif 000007
【図６】
2009011617.tif 000008
【図７】
2009011617.tif 000009
【図８】
2009011617.tif 000010
【図９】
2009011617.tif 000011
【図１０】
2009011617.tif 000012
【図１１】
2009011617.tif 000013
【図１２】
2009011617.tif 000014
【図１３】
2009011617.tif 000015
【図１４】
2009011617.tif 000016